(57)【要約】【課題】ワンタッチで可撓管に取付け可能な樹脂製ストッパを提供すること。【解決手段】シャワヘッド３を引出し可能に支持するシャワホルダ３ａに下流端部４ａが挿入された状態で、水栓本体２内で混合される湯水混合水をシャワヘッド３の側に供給する混合水供給管２ａの下流端Ｎとシャワヘッド３の上流端Ｍとに接続された可撓管４の折れ曲がり部分Ｘ，Ｙのうちの上流側Ｘが挿通される一方、前記折れ曲がり部分Ｘ，Ｙのうちの下流側Ｙが挿通され、それによって、シャワヘッド３の引出し時においてシャワヘッド３がシャワホルダ３ａから出すぎるのを制限する樹脂製ストッパ４０であって、このストッパ４０が二つの半割り体４１，４２で形成され、更に、前記折れ曲がり部分Ｘ，Ｙのうちの上流側Ｘを挿通させるための半円状切欠４４，４５、前記折れ曲がり部分Ｘ，Ｙのうちの下流側Ｙを挿通させるための半円状切欠４６，４７が、それぞれ前記半割り体４１，４２の各対称位置に設けられ、更に、一方の半割り体４１には係止部５０、他方の半割り体４２には被係止部５１が設けられている。【選択図】            図４
2005016260.tif 000002
【特許請求の範囲】
【請求項１】
シャワヘッドを引出し可能に支持するシャワホルダに下流端部が挿入された状態で、水栓本体内で混合される湯水混合水をシャワヘッドの側に供給する混合水供給管の下流端とシャワヘッドの上流端とに接続された可撓管の折れ曲がり部分のうちの上流側が挿通される一方、前記折れ曲がり部分のうちの下流側が挿通され、それによって、シャワヘッドの引出し時においてシャワヘッドがシャワホルダから出すぎるのを制限する樹脂製ストッパであって、このストッパが二つの半割り体で形成され、更に、前記折れ曲がり部分のうちの上流側を挿通させるための半円状切欠、前記折れ曲がり部分のうちの下流側を挿通させるための半円状切欠が、それぞれ前記半割り体の各対称位置に設けられ、更に、一方の半割り体には係止部、他方の半割り体には被係止部が設けられていることを特徴とする樹脂製ストッパ。
【請求項２】
前記二つの半割り体が薄肉のヒンジ部で連結されている請求項１に記載の樹脂製ストッパ。
【請求項３】
前記二つの半割り体は、互いに分離して形成されている請求項１に記載の樹脂製ストッパ
【請求項４】
シャワヘッドを引出し可能に支持するシャワホルダに下流端部が挿入された状態で、水栓本体内で混合される湯水混合水をシャワヘッドの側に供給する混合水供給管の下流端とシャワヘッドの上流端とに接続された可撓管の折れ曲がり部分のうちの上流側が挿通される一方、前記折れ曲がり部分のうちの下流側が挿通される第１の樹脂製ストッパ部材と、前記可撓管に取付けられる筒状の第２の樹脂製ストッパ部材とから構成され、シャワヘッドの引出し時においてシャワヘッドがシャワホルダから出すぎるのを制限する樹脂製ストッパであって、前記第１の樹脂製ストッパ部材は二つの第１および第２の半割り体で形成され、更に、前記折れ曲がり部分のうちの上流側を挿通させるための半円状切欠、前記折れ曲がり部分のうちの下流側を挿通させるための半円状切欠が、それぞれ前記第１および第２の半割り体の各対称位置に設けられ、更に、前記第１の半割り体には係止部、前記第２の半割り体には被係止部が設けられている一方、前記第２の樹脂製ストッパ部材は二つの第３および第４の半割り体で形成されるとともに、可撓管の外周面に形成された螺旋溝に嵌まり込む突条が、それぞれ前記第３および第４の半割り体の内周面に設けられ、更に、前記第３の半割り体には係止部、前記第４の半割り体には被係止部が設けられていることを特徴とする樹脂製ストッパ。
【発明の詳細な説明】
【０００１】
【発明の属する技術分野】
この発明は、樹脂製ストッパに関するものである。
【０００２】
【従来の技術】
【特許文献１】特開２００２−１０６００６号公報
【特許文献２】特開２００３−２７５４７号公報
本出願人は、水栓本体に、シャワヘッドを引出し可能に支持するシャワホルダを設け、このシャワヘッドの引出し時においてシャワヘッドがシャワホルダから出すぎるのを制限する鉛よりなる重りを、混合水供給管の下流端とシャワヘッドの上流端に接続された可撓管に取付けてある浄水機能付湯水混合栓を提案している（前記特許文献１及び図７参照）。
【０００３】
すなわち、図７において、例えば台所用の浄水機能付湯水混合栓１００は、給湯管Ｈおよび給水管Ｃから流入する湯および水を適宜混合して混合水を混合水供給管１０２ａに供給する混合栓本体１０２と、混合栓本体１０２から供給される混合水、あるいは、水よりなる原水や、その浄水を吐水するシャワヘッド１０３と、このシャワヘッド１０３と混合水供給管１０２ａとを接続する可撓管１０４と、給湯管Ｈに連通連結されるサプライ管１０２ｂと、給水管Ｃに連通連結されるサプライ管１０２ｃと、混合水供給管１０２ａに供給される湯水の混合比と止水を含む吐水量の調整を行う操作レバー１０２ｄとを有し、シャワヘッド１０３は内部に可撓管１０４を挿通できるシャワホルダ１０３ａに支持されており、シャワホルダ１０３ａの先端部１０３ｂから引出し可能となっている。そして、シャワホルダ１０３ａの下端部から引き出された可撓管１０４はガイド１０５内を通った状態で前記混合水供給管１０２ａに連通するように接続されており、鉛よりなる重り１０６が可撓管４の途中に設けられている。シャワヘッド１０３は、円筒状の浄水カートリッジ１１０が取替自在に内蔵されている合成樹脂製のグリップ部１１１と、このグリップ部１１１の下流端にねじ止めにより接続される合成樹脂製の吐水口本体１１２とより構成されている。そして、シャワヘッド１０３の引出し時において可撓管４と友に移動する重り１０６がガイド１０５に当たることでシャワヘッド１０３がシャワホルダ１０３ａから出すぎるのを制限している。
【０００４】
【発明が解決しようとする課題】
しかし、重り１０６は二つ割りとなっており、可撓管１０４を挟む形で二本のねじで締付けられており、重たい重り１０６の取付作業や、重り１０６が当たるガイド１０５をシンク１２０直下に設けた取付板１２１に取付ける作業に手間がかかっていた。
【０００５】
これを回避するため、水栓本体内で混合される湯水混合水をシャワヘッドの側に供給する混合水供給管の下流端とシャワヘッドの上流端に接続された可撓管の折れ曲がり部分のうちの上流側が挿通される一方、前記折れ曲がり部分のうちの下流側が挿通され、それによって、シャワヘッドの引出し時においてシャワヘッドがシャワホルダから出すぎるのを制限する樹脂製ストッパがある（前記特許文献２参照）。
【０００６】
しかし、前記特許文献２に記載されている樹脂製ストッパでは、シャワヘッドに接続されている可撓管の開放端（上流端）を混合水供給管の下流端に接続する前に、まず、樹脂製ストッパの一方の開口に開口の上面側から前記開放端を下方へ挿通させて可撓管の下流側の所定位置にまでもっていき、続いて、可撓管を折り曲げて樹脂製ストッパの他方の開口に開口の下面側から前記開放端を上方へ挿通させ、その後、前記開放端を混合水供給管の下流端に接続するという手間がかかる取付作業が必要である。
【０００７】
また、前記特許文献２には、前記重り１０６に代えて可撓管の途中に取付けられる軽量な樹脂製ストッパが記載されているが、前記重り１０６と同様に、可撓管を挟む形で一本のねじで樹脂製ストッパを締付けることにより取付ける構成を採用しており、シンクの下方の狭い空間での作業としては、この種樹脂製ストッパをワンタッチで取付けることが望まれている。
【０００８】
この発明は、上記問題に鑑みてなしたもので、ワンタッチで可撓管に取付け可能な樹脂製ストッパを提供することを目的としている。
【０００９】
【課題を解決するための手段】
上記目的を達成するために、この発明の樹脂製ストッパは、シャワヘッドを引出し可能に支持するシャワホルダに下流端部が挿入された状態で、水栓本体内で混合される湯水混合水をシャワヘッドの側に供給する混合水供給管の下流端とシャワヘッドの上流端とに接続された可撓管の折れ曲がり部分のうちの上流側が挿通される一方、前記折れ曲がり部分のうちの下流側が挿通され、それによって、シャワヘッドの引出し時においてシャワヘッドがシャワホルダから出すぎるのを制限する樹脂製ストッパであって、このストッパが二つの半割り体で形成され、更に、前記折れ曲がり部分のうちの上流側を挿通させるための半円状切欠、前記折れ曲がり部分のうちの下流側を挿通させるための半円状切欠が、それぞれ前記半割り体の各対称位置に設けられ、更に、一方の半割り体には係止部、他方の半割り体には被係止部が設けられていることを特徴とする。
【００１０】
また、この発明は別の観点から、シャワヘッドを引出し可能に支持するシャワホルダに下流端部が挿入された状態で、水栓本体内で混合される湯水混合水をシャワヘッドの側に供給する混合水供給管の下流端とシャワヘッドの上流端とに接続された可撓管の折れ曲がり部分のうちの上流側が挿通される一方、前記折れ曲がり部分のうちの下流側が挿通される第１の樹脂製ストッパ部材と、前記可撓管に取付けられる筒状の第２の樹脂製ストッパ部材とから構成され、シャワヘッドの引出し時においてシャワヘッドがシャワホルダから出すぎるのを制限する樹脂製ストッパであって、前記第１の樹脂製ストッパ部材は二つの第１および第２の半割り体で形成され、更に、前記折れ曲がり部分のうちの上流側を挿通させるための半円状切欠、前記折れ曲がり部分のうちの下流側を挿通させるための半円状切欠が、それぞれ前記第１および第２の半割り体の各対称位置に設けられ、更に、前記第１の半割り体には係止部、前記第２の半割り体には被係止部が設けられている一方、前記第２の樹脂製ストッパ部材は二つの第３および第４の半割り体で形成されるとともに、可撓管の外周面に形成された螺旋溝に嵌まり込む突条が、それぞれ前記第３および第４の半割り体の内周面に設けられ、更に、前記第３の半割り体には係止部、前記第４の半割り体には被係止部が設けられていることを特徴とする樹脂製ストッパを提供する。
【００１１】
【発明の実施の形態】
以下にこの発明の実施形態について説明する。なお、それによって、この発明は限定されるものではない。
【００１２】
図１〜図４は、この発明の一実施形態を示す。
図１〜図４において、台所用の浄水機能付湯水混合栓１は、給湯管Ｈおよび給水管Ｃから流入する湯および水を適宜混合して湯水混合水を混合水供給管２ａに供給する混合栓本体（水栓本体）２と、混合栓本体２から供給される混合水、あるいは、水よりなる原水や、その浄水を吐水するシャワヘッド３と、このシャワヘッド３と混合水供給管２ａとを接続する可撓管４とを有している。可撓管４は、上流端部４ｂが混合栓本体（水栓本体）２内で混合される湯水混合水をシャワヘッド３の側に供給する混合水供給管２ａの下流端Ｎに継手部材Ｔを介して接続され、また、下流端部４ａの先端がシャワヘッド３の上流端Ｍに接続されており、原水の給水流路を形成する。そして、可撓管４は、その重みによって図１、図３に示すように、上流端部４ｂから下方に垂下し、最下位置Ｚに至り、ここから上方に折れ曲がってシャワヘッド３側に上昇している。Ｘは、可撓管４の折れ曲がり部分のうちの上流側の部位を示し、Ｙは、可撓管４の折れ曲がり部分のうちの下流側の部位を示す。
【００１３】
２ｂ，２ｃはそれぞれ給湯管Ｈ、給水管Ｃに連通連結されるサプライ管であり、２ｄは混合水供給管２ａに供給される湯水の混合比と止水を含む吐水量の調整を行う操作レバーである。前記混合栓本体（水栓本体）２は、シンクの取付面部１６に設けた一つの貫通穴１６ａに嵌込まれた後固定されている筒状の取付部材１７を介して取付面部１６上に取付けられており、この取付部材１７内にサプライ管２ｂ，２ｃおよび混合水供給管２ａが挿通されている。取付部材１７は外周に雄ねじＰを有する一方、取付部材１７は、取付面部１６の下面で貫通穴１６ａの周面に当接するパッキン１９ａを介して取付面部１６の下面側から雄ねじＰに螺合する座金１９によって取付面部１６に固定されている。１７ａは、取付部材１７の下方開口部である。
【００１４】
シャワヘッド３は内部に可撓管４を挿通できるシャワホルダ３ａに支持されており、シャワホルダ３ａの先端部３ｂから引出し可能となっている。そして、シャワヘッド３の引出し時には、シャワホルダ３ａの下端部から可撓管４も引き出されるよう構成されている。シャワホルダ３ａは、混合栓本体２の下部を覆う筒状の回動蓋Ｆに取付けられている。
【００１５】
前記シャワヘッド３は、円筒状の浄水カートリッジ１０が取替自在に内蔵されている合成樹脂製のグリップ部１１と、このグリップ部１１の下流端にねじ止めにより接続される合成樹脂製の吐水口本体１２とよりなる。浄水カートリッジ１０は、例えば高性能抗菌繊維活性炭フィルタを有する。１４は、浄水カートリッジ１０の貫通穴で、浄水カートリッジ１０の軸線上に位置する。前記貫通穴１４は、前記給水流路に連通する原水流路を形成する。
【００１６】
前記吐水口本体１２は、上流端おける前記軸線上に前記原水流路に連通する原水用開口２０を有するとともに、上流端における原水用開口２０の直下に浄水用開口２１を有する。この浄水用開口２１は、前記浄水カートリッジ１０の外側に形成される環状の浄水流路に連通する。すなわち、浄水吐水状態では、シャワヘッド３のグリップ部１１から吐水口本体１２に至る内周面ｍおよび前記フィルタ１３の外周面ｎ間に形成される環状空間部Ｓを前記フィルタ１３によって濾過された浄水が浄水用開口２１へ流出する。
【００１７】
以下、この発明の特徴的構成について説明する。
【００１８】
４０は、可撓管４が挿通する二つの挿通穴（丸穴）４０ａ，４０ｂを有する第１の樹脂製ストッパ部材である。そして、前記挿通穴４０ａには、可撓管４の折れ曲がり部分のうちの上流側の部位Ｘが挿通されている。また、前記挿通穴４０ｂには、可撓管４の折れ曲がり部分のうちの下流側の部位Ｙが挿通されている。
【００１９】
前記第１の樹脂製ストッパ部材４０は二つの半割り体４１，４２で形成され、かつ、二つの半割り体４１，４２は薄肉の上下一対のヒンジ部４９で連結されている。
【００２０】
更に、前記折れ曲がり部分のうちの上流側の部位Ｘを挿通させるための半円状切欠４４，４５、前記折れ曲がり部分のうちの下流側の部位Ｙを挿通させるための半円状切欠４６，４７が、それぞれ前記半割り体４１，４２の各対称位置に設けられている。すなわち、第１の半割り体４１は、二つの半円状切欠４４，４６を有し、また、第２の半割り体４２も二つの半円状切欠４５，４７を有する。つまり、第２の半割り体４２は、半円状切欠４４とで挿通穴４０ａを形成する半円状切欠４５と、半円状切欠４６とで挿通穴４０ｂを形成する半円状切欠４７とを有する。
【００２１】
前記挿通穴４０ａは挿通穴４０ｂよりも可撓管４が通り難くなるような内径に設定されている。すなわち、挿通穴４０ａの内径は可撓管４の外径とほぼ等しくなるよう設定されている。そのため、可撓管４の上流側の部位Ｘの挿通穴４０ａに挿通している部分４００は挿通穴４０ａに引っ掛かる形となる。一方、挿通穴４０ｂの内径は可撓管４の外径よりも大に設定されている。これにより、図３に示すように、シャワヘッド３を引出したときに、取付部材１７の下方開口部１７ａの方向（Ｊ方向）に可撓管４が上昇しながら実線で示す状態から二点鎖線で示す状態になる。つまり、シャワヘッド３を引出すにつれて、下流側の部位ＹはＪ方向に挿通穴４０ｂを通って上昇するが、上流側の部位Ｘの挿通穴４０ａに挿通している部分４００は挿通穴４０ａに引っ掛かっており、挿通穴４０ａからはみ出て下方にずれることなく挿通穴４０ａ内で定位置を保つことができる。この状態で、最下位置ＺはＺ’の位置に上昇するが、可撓管４のうち、第１の樹脂製ストッパ部材４０より下位の上流側の部位Ｘ’および下流側の部位Ｙ’は最下位置Ｚでの場合に比して最下位置Ｚ’からの長さが短くなりこれ以上可撓管４を引き上げることができなくなるので、シャワヘッド３がシャワホルダ３ａから出すぎるのを阻止できる。
【００２２】
また、第１の樹脂製ストッパ部材４０は、一方の半割り体４１の先端に爪（係止部）５０を有するとともに、他方の半割り体４２の先端に爪（係止部）５０に係合する係合孔（被係止部）５１を有する。
【００２３】
而して、図４（Ａ）に示す状態の一方の樹脂製ストッパ部材４０を可撓管４の前記部分４００が挿通穴４０ａの位置にくるようセットし、爪（係止部）５０と係合孔（被係止部）５１を係合させるだけのワンタッチの簡単な取付作業で第１の樹脂製ストッパ部材４０を可撓管４の所定位置に取付けできる。すなわち、第１の樹脂製ストッパ部材４０を二つの半割り体４１，４２で形成し、かつ、爪（係止部）５０と爪（係止部）５０に係合する係合孔（被係止部）５１を半割り体４１，４２自体に一体的に設けたので、従来のように一本のねじで樹脂製ストッパを締付けたり、シャワヘッドに接続されている可撓管の開放端（上流端）を混合水供給管の下流端に接続する前に、手間がかかる取付作業を不要にでき、作業性を向上させることができる。
【００２４】
図５、図６は、この発明の他の実施形態を示す。なお、図５、図６において、図１〜図４に示す符号と同一のものは同一または相当物である。
【００２５】
５０は、樹脂製ストッパで、前記第１の樹脂製ストッパ部材４０と、前記可撓管４に取付けられる筒状の第２の樹脂製ストッパ部材２０とから構成される。前記第１の樹脂製ストッパ部材４０は、上述したように、第１，第２の二つの半割り体４１，４２で形成され、かつ、第１，第２の二つの半割り体４１，４２は薄肉の上下一対のヒンジ部４９で連結されている。
【００２６】
前記筒状の第２の樹脂製ストッパ部材２０は、可撓管４の所定位置に取付けられている。この所定位置とは、シャワヘッド３の引出し時においてシャワヘッド３がシャワホルダ３ａから出すぎるのを制限できる位置であり、かつ、前記挿通穴４０ｂの下方で、第１の樹脂製ストッパ部材４０と可撓管４の最下位置Ｚとの間に取付けられる。前記樹脂製ストッパ部材２０の外径は、前記挿通穴４０ｂの内径よりも大に設定されている。
【００２７】
更に、前記筒状の第２の樹脂製ストッパ部材２０は、第３，第４の二つの半割り体２１，２２で形成され、かつ、第３，第４の二つの半割り体２１，２２は薄肉の上下一対のヒンジ部２６，２７で連結されている。そして、可撓管４の外周面Ａに当接しながら可撓管４を覆うための半円状切欠２９および３０が、それぞれ半割り体２１および２２の各対称位置に設けられている。
【００２８】
第３の半割り体２１および第４の半割り体２２には、それぞれ、可撓管４の外周面Ａに形成された螺旋溝２３に嵌まり込む所定の傾斜角度を有する一本の突条２４および２５が内周面２１ａおよび２２ａに設けられている。第３の半割り体２１は、内周面２１ａを有する半割り体本体と、取付部材１７の下方開口部１７ａの環状の下面１７ａ’に当接する大きさを有し、半割り体本体の上下端面から水平状態で外向きに突出する円弧状の上下フランジ３６，３７よりなる。また、第４の半割り体２２は、内周面２２ａを有する半割り体本体と、取付部材１７の下方開口部１７ａの環状の下面１７ａ’に当接する大きさを有し、半割り体本体の上下端面から水平状態で外向きに突出する円弧状の上下フランジ３８，３９よりなる。
【００２９】
また、第３，第４の半割り体２１および２２同士の係止手段が、第３の半割り体２１に設けた係止孔（被係止部）３２および係止爪（係止部）３３と、第４の半割り体２２に設けられ、これら係止孔３２および係止爪３３にそれぞれ係合する係止爪（係止部）３４および係止孔（被係止部）３５とよりなる。係止孔３２および係止爪３３は、第３の半割り体２１の半割り面部２１ａの上下位置に形成され、また、係止爪３４および係止孔３５は、第４の半割り体２２の半割り面部２２ａの上下位置に形成されている。
【００３０】
而して、可撓管４の外周面Ａに形成された螺旋溝２３に第３の半割り体２１の突条２４および第４の半割り体２２の突条２５を嵌まり込ませながら、第３の半割り体２１の係止孔３２に他方の半割り体２２の係止爪３４を係合させるとともに、第４の半割り体２２の係止孔３５に第３の半割り体２１の係止爪３３を係合させるだけの簡単な取付作業で第２の樹脂製ストッパ部材２０を可撓管４の所定位置に取付けできる。また、第１の樹脂製ストッパ部材４０は、爪（係止部）５０と係合孔（被係止部）５１を係合させるだけのワンタッチの簡単な取付作業で第２の樹脂製ストッパ部材２０よりも上方に挿通穴４０ｂが位置するように可撓管４に取付けできる。
【００３１】
そして、シャワヘッド３の引出し時においては、図５に示す状態から、図６に示すように、第１の樹脂製ストッパ部材４０の前記挿通穴４０ｂの方向（Ｊ’方向）に可撓管４と共に第２の樹脂製ストッパ部材２０が可撓管４に固定された状態で移動し、その後、第３の半割り体２１の上フランジ３６と第４の半割り体２２の上フランジ３８が前記挿通穴４０ｂを挿通することなく第１の樹脂製ストッパ部材４０の下面に当接するので、シャワヘッド３がシャワホルダ３ａから出すぎるのを阻止できる。
【００３２】
【発明の効果】
以上説明したようにこの発明によれば、ワンタッチで可撓管に取付け可能な樹脂製ストッパを提供することができる。
【図面の簡単な説明】
【図１】この発明の一実施形態における使用状態を示す全体構成説明図である。
【図２】上記実施形態を適用した水栓を示す構成説明図である。
【図３】上記実施形態における取付動作を説明するための要部構成説明図である。
【図４】（Ａ）は、上記実施形態における係合前の第１の樹脂製ストッパ部材を示す構成説明図である。
（Ｂ）は、上記実施形態における係合後の第１の樹脂製ストッパ部材を示す構成説明図である。
（Ｃ）は、上記実施形態における係合後の第１の樹脂製ストッパ部材を示す断面図である。
【図５】この発明の他の実施形態における使用状態を示す全体構成説明図である。
【図６】上記他の実施形態における第２の樹脂製ストッパ部材の取付動作を説明するための要部構成説明図である。
【図７】従来例における使用状態を示す全体構成説明図である。
【符号の説明】
２…水栓本体、２ａ…混合水供給管、３…シャワヘッド、３ａ…シャワホルダ、４ａ…下流端部、４…可撓管、４０…樹脂製ストッパ、４１，４２…二つの半割り体、４４〜４７…半円状切欠、５０…係止部、５１…被係止部、Ｘ…上流側の部位、Ｙ…下流側の部位、Ｎ…下流端、Ｍ…上流端。
【図１】
2005016260.tif 000003
【図２】
2005016260.tif 000004
【図３】
2005016260.tif 000005
【図４】
2005016260.tif 000006
【図５】
2005016260.tif 000007
【図６】
2005016260.tif 000008
【図７】
2005016260.tif 000009